(57)【要約】【課題】整流回路のスイッチング素子を適切なタイミングでオフ状態にして、交流電力から直流電力への変換効率を向上させることが可能な電力変換装置を提供する。【解決手段】制御部３０は、電流閾値として、第１電流閾値であるゼロと、第１電流閾値よりも絶対値が大きい第２閾値であるＩ２１と、を少なくとも設定する。制御部３０は、交流電流値Ｉｏｕｔの絶対値が第１電流閾値の絶対値を上回ったことに基づいて、複数のスイッチング素子Ｑ１，Ｑ２，Ｑ３，Ｑ４の一部をオン状態にするために整流回路１０にオン信号を送信する一方で、交流電流値Ｉｏｕｔの絶対値が第２電流閾値の絶対値を下回ったことに基づいて、複数のスイッチング素子Ｑ１，Ｑ２，Ｑ３，Ｑ４の一部をオフ状態にするために整流回路１０へのオン信号の送信を停止する。【選択図】図２
2016226209.tif 000002
【特許請求の範囲】
【請求項１】
電力変換装置（１００，１００Ａ，１００Ｂ）であって、
複数のスイッチング素子（Ｑ１，Ｑ２，Ｑ３，Ｑ４）を有し、該複数のスイッチング素子のオン状態とオフ状態とを切り替えることで交流電力を直流電力に変換する整流回路（１０）と、
前記整流回路に供給される交流電流の値（Ｉｏｕｔ）を検出する電流検出部（２０）と、
前記電流検出部で検出された前記交流電流の値と、電流閾値と、の関係に基づいて前記整流回路にオン信号を送信する制御部（３０）と、を備え、
前記制御部は、
前記電流閾値として、第１電流閾値と、前記第１電流閾値よりも絶対値が大きい第２電流閾値と、を少なくとも設定し、
前記交流電流の値の絶対値が前記第１電流閾値の絶対値を上回ったことに基づいて、前記複数のスイッチング素子の一部をオン状態にするために前記整流回路にオン信号を送信する一方で、
前記交流電流の値の絶対値が前記第２電流閾値の絶対値を下回ったことに基づいて、前記複数のスイッチング素子の一部をオフ状態にするために前記整流回路へのオン信号の送信を停止する電力変換装置。
【請求項２】
前記制御部は、
前記電流閾値を時間とともに前記第１電流閾値から前記第２電流閾値に漸次変化させ、
前記交流電流の値がゼロとなるタイミング、又は、前記オン信号の送信の停止から予め定められた第１所定時間後のタイミングにおいて、前記電流閾値をゼロとすることを特徴とする請求項１に記載の電力変換装置。
【請求項３】
前記制御部は、
前記交流電流の値の絶対値が前記第１電流閾値の絶対値を上回ったタイミングから予め定められた第２所定時間（ｔ０）経過後に、前記電流閾値を前記第１電流閾値から前記第２電流閾値に変更し、
前記交流電流の値の絶対値が前記第２電流閾値の絶対値を下回ったタイミングから予め定められた第３所定時間（ｔ０）経過後に、前記電流閾値を前記第２電流閾値から前記第１電流閾値に変更することを特徴とする請求項１に記載の電力変換装置。
【発明の詳細な説明】
【技術分野】
【０００１】
本発明は、電力変換装置に関する。
【背景技術】
【０００２】
整流回路を用いて電力変換を行う装置として、下記特許文献１に記載のものが知られている。当該装置は、整流回路（スイッチング整流回路）が複数のスイッチング素子（スイッチ）を有しており、これらのスイッチング素子のオン状態とオフ状態とを切り替えることによって、交流電力を直流電力に変換する。
【０００３】
当該装置の整流回路は、制御装置（タイミング制御装置）からオン信号（ゲート信号）を受信することで、一部のスイッチング素子をオン状態にする一方で、他のスイッチング素子をオフ状態にするように動作する。詳細には、下記特許文献１の装置では、制御装置は、交流電力の電圧と閾値との関係に基づいてオン信号を送信し、スイッチング素子のオン状態とオフ状態との切り替えを周期的に行う。つまり、制御装置は、交流電力の電圧が閾値を上回ったことに基づいて、一部のスイッチング素子をオン状態にするために整流回路にオン信号を送信する。一方、交流電力の電圧が閾値を下回ると、制御装置は、それに基づいて当該一部のスイッチング素子をオフ状態にするために、整流回路へのオン信号の送信を停止する。
【０００４】
下記特許文献１に記載の装置では、更に、整流回路へのオン信号の送信を停止する際に用いる閾値を、当該オン信号を送信する際に用いる閾値よりも小さいものとしている。これにより、当該装置は、スイッチング素子を確実にオフ状態に切り替えることが可能となり、この結果、整流回路における電流の逆流防止や電力の変換効率の低下を抑制することができる。
【先行技術文献】
【特許文献】
【０００５】
【特許文献１】特開２０１２−２３５６６９号公報
【発明の概要】
【発明が解決しようとする課題】
【０００６】
しかしながら、上記特許文献１記載の装置等では、高い周波数で動作している状態で、交流電力の電圧検出や、当該検出に基づくオン信号の送信停止に遅れ時間が生じると、本来スイッチング素子をオフ状態に切り替えるべきタイミングであっても、オン状態になったままになってしまう。
【０００７】
このように、スイッチング素子が不適切なタイミングでオン状態になってしまうと、整流回路において電流の逆流が生じてしまうおそれがある。このため、電力の変換効率の低下や、スイッチング素子の損傷を招くという課題があった。
【０００８】
本発明はこのような課題に鑑みてなされたものであり、その目的は、整流回路のスイッチング素子を適切なタイミングでオフ状態にして、交流電力から直流電力への変換効率を向上させることが可能な電力変換装置を提供することにある。
【課題を解決するための手段】
【０００９】
上記課題を解決するために、本発明に係る電力変換装置（１００，１００Ａ，１００Ｂ）は、複数のスイッチング素子（Ｑ１，Ｑ２，Ｑ３，Ｑ４）を有し、該複数のスイッチング素子のオン状態とオフ状態とを切り替えることで交流電力を直流電力に変換する整流回路（１０）と、前記整流回路に供給される交流電流の値（Ｉｏｕｔ）を検出する電流検出部（２０）と、前記電流検出部で検出された前記交流電流の値と、電流閾値と、の関係に基づいて前記整流回路にオン信号を送信する制御部（３０）と、を備える。前記制御部は、前記電流閾値として、第１電流閾値と、前記第１電流閾値よりも絶対値が大きい第２電流閾値と、を少なくとも設定し、前記交流電流の値の絶対値が前記第１電流閾値の絶対値を上回ったことに基づいて、前記複数のスイッチング素子の一部をオン状態にするために前記整流回路にオン信号を送信する一方で、前記交流電流の値の絶対値が前記第２電流閾値の絶対値を下回ったことに基づいて、前記複数のスイッチング素子の一部をオフ状態にするために前記整流回路へのオン信号の送信を停止する。
【００１０】
本発明では、制御部がオン信号を送信する際に用いる第１電流閾値の絶対値よりも、制御部がオン信号の送信を停止する際に用いる第２電流閾値の絶対値の方が大きい。したがって、本発明によれば、電流検出部による交流電流の値の検出や、当該検出に基づくオン信号の送信停止に遅れ時間が生じる場合であっても、それを考慮して早めのタイミングでオン信号の送信を停止することが可能となる。この結果、本発明によれば、整流回路のスイッチング素子を適切なタイミングでオフ状態にして、交流電力から直流電力への変換効率を向上させることが可能となる。
【発明の効果】
【００１１】
本発明によれば、整流回路のスイッチング素子を適切なタイミングでオフ状態にして、交流電力から直流電力への変換効率を向上させることが可能な電力変換装置を提供することができる。
【図面の簡単な説明】
【００１２】
【図１】本発明の第１実施形態に係る電力変換装置を示す回路図である。
【図２】第１実施形態に係る制御部による制御の例を示すタイムチャートである。
【図３】第１実施形態に係る制御部による処理の流れを示すフローチャートである。
【図４】第１実施形態に係る制御部による処理の流れを示すフローチャートである。
【図５】第２実施形態に係る制御部による制御の例を示すタイムチャートである。
【図６】第２実施形態に係る制御部による処理の流れを示すフローチャートである。
【図７】第２実施形態に係る制御部による処理の流れを示すフローチャートである。
【図８】第３実施形態に係る制御部による制御の例を示すタイムチャートである。
【図９】第３実施形態に係る制御部による処理の流れを示すフローチャートである。
【発明を実施するための形態】
【００１３】
以下、添付図面を参照しながら本発明の実施形態について説明する。説明の理解を容易にするため、各図面において同一の構成要素に対しては可能な限り同一の符号を付して、重複する説明は省略する。
【００１４】
まず、図１を参照しながら、本発明の第１実施形態に係る電力変換装置１００の構成の概略を説明する。電力変換装置１００は、交流電源ＡＣから供給される交流電力を直流電力に変換する装置として設けられる。電力変換装置１００によって変換された直流電力は、平滑化を行うキャパシタ５１及び抵抗５２を有する負荷５０に供給される。
【００１５】
電力変換装置１００は、整流回路１０と、電流検出部２０と、制御部３０と、比較回路４０と、を備えている。
【００１６】
整流回路１０は、その入力側が交流電源ＡＣと電気的に接続され、その出力側が負荷５０と電気的に接続される。整流回路１０は、スイッチング素子Ｑ１，Ｑ２，Ｑ３，Ｑ４を有している。本第１実施形態では、スイッチング素子Ｑ１，Ｑ２，Ｑ３，Ｑ４としてＭＯＳＦＥＴを採用しているが、本発明はこれに限定されるものではなく、オン状態とオフ状態との切り替えが可能なスイッチング素子であれば、任意のものを採用することができる。例えば、ＪＦＥＴ，ＭＥＳＦＥＴや、ＩＧＢＴ、ＧＴＯ、パワートランジスタ等を採用することができる。
【００１７】
スイッチング素子Ｑ１とスイッチング素子Ｑ２とは直列に接続されている。また、スイッチング素子Ｑ１とスイッチング素子Ｑ２との間には、交流電源ＡＣの一方の端子ＡＣ１が接続されている。また、スイッチング素子Ｑ１と並列にダイオードＤ１が接続されているとともに、スイッチング素子Ｑ２と並列にダイオードＤ２が接続されている。
【００１８】
スイッチング素子Ｑ３とスイッチング素子Ｑ４とは直列に接続されている。また、スイッチング素子Ｑ３とスイッチング素子Ｑ４との間には、交流電源ＡＣの他方の端子ＡＣ２が接続されている。また、スイッチング素子Ｑ３と並列にダイオードＤ３が接続されているとともに、スイッチング素子Ｑ４と並列にダイオードＤ４が接続されている。
【００１９】
電流検出部２０は、交流電源ＡＣと、前述した交流電源ＡＣの他方の端子ＡＣ２との間に配置されている。電流検出部２０は、交流電源ＡＣから整流回路１０に供給される交流電流を検出する。また、電流検出部２０は、検出した交流電流の値（以下、これを「交流電流値」と称する）に対応する検出信号を生成し、外部に送信する。
【００２０】
制御部３０は、信号線Ｌ１，Ｌ２，Ｌ３，Ｌ４を介してスイッチング素子Ｑ１，Ｑ２，Ｑ３，Ｑ４とそれぞれ電気的に接続されており、スイッチング素子Ｑ１，Ｑ２，Ｑ３，Ｑ４に制御信号を送信する機器である。詳細には、制御部３０は、後述する比較回路４０からの入力等に基づいて、ＰＷＭ（Pulse Width Modulation）制御に従ってオン信号を生成し、スイッチング素子Ｑ１，Ｑ２，Ｑ３，Ｑ４に送信することで、それらのオン状態とオフ状態とを切り替える。この制御部３０は、ＣＰＵ（Central Processing Unit）を中心にプログラムの実行で動作する構成となっているが、回路素子からなるハードウェアロジックによって動作する構成としてもよい。
【００２１】
比較回路４０は、電流検出部２０及び制御部３０と電気的に接続されている回路である。比較回路４０は、電流検出部２０が検出した交流電流の値と、後述する電流閾値Ｉｒｅｆとを比較するとともに、その比較結果に対応する信号を生成し、制御部３０に送信する。すなわち、制御部３０は、電流検出部２０による交流電流の検出に基づいてオン信号を送信することになる。
【００２２】
以上のように構成された電力変換装置１００は、スイッチング素子Ｑ１，Ｑ２，Ｑ３，Ｑ４のオン状態とオフ状態とを切り替えることによって、交流電源ＡＣから供給される交流電力の全波整流を行う。
【００２３】
詳細には、交流電源ＡＣから矢印Ｃ１で示される方向に交流電流が流れる場合（電流検出部２０が検出する交流電流の値が正となる場合）は、制御部３０は、スイッチング素子Ｑ１，Ｑ４のみにオン信号を送信する。このオン信号を受信することでスイッチング素子Ｑ１，Ｑ４はオン状態となるが、スイッチング素子Ｑ２，Ｑ３はオフ状態のままとなる。
【００２４】
一方、交流電源ＡＣから矢印Ｃ２で示される方向に交流電流が流れる場合（電流検出部２０が検出する交流電流の値が負となる場合）は、制御部３０は、スイッチング素子Ｑ２，Ｑ３のみにオン信号を送信する。このオン信号を受信することでスイッチング素子Ｑ２，Ｑ３はオン状態となるが、スイッチング素子Ｑ１，Ｑ４がオフ状態のままとなる。
【００２５】
ところで、電流検出部２０による交流電流の検出や、当該検出に基づく制御部３０からのオン信号の送信停止等には、遅れ時間が生じ得る。このような要因のため、本来スイッチング素子Ｑ１，Ｑ２，Ｑ３，Ｑ４がオフ状態に切り替わるべきタイミングでもオン状態のままになってしまうと、整流回路１０において電流の逆流が生じてしまうおそれがある。このため、電力変換装置１００の変換効率の低下や、スイッチング素子Ｑ１，Ｑ２，Ｑ３，Ｑ４の損傷を招くおそれがある。
【００２６】
そこで、第１実施形態に係る電力変換装置１００では、制御部３０がオン信号を送信するタイミングと、当該オン信号の送信を停止するタイミングとに工夫がなされている。以下、図２乃至図３を参照しながら、この工夫について説明する。
【００２７】
まず、図２を参照しながら、制御部３０による制御の例について説明する。図２では、電流検出部２０によって検出された交流電流の値Ｉｏｕｔの時間変化を最上段に示している。また、図２の中段には、制御部３０がスイッチング素子Ｑ１，Ｑ２，Ｑ３，Ｑ４に送信する制御信号を示している。すなわち、「オン」は、制御部３０が各スイッチング素子にオン信号を送信している状態を示しており、「オフ」は、制御部３０が各スイッチング素子にオン信号を送信していない状態を示している。さらに、図２の下段には、スイッチング素子Ｑ１，Ｑ２，Ｑ３，Ｑ４のオン状態又はオフ状態を示している。
【００２８】
制御部３０は、時間とともに変化する電流閾値Ｉｒｅｆを決定するとともに、この電流閾値Ｉｒｅｆを比較回路４０に出力する。前述したように、比較回路４０では、電流検出部２０が検出した交流電流値Ｉｏｕｔと、電流閾値Ｉｒｅｆとを比較するとともに、その比較結果に対応する信号を生成して制御部３０に送信する。制御部３０は、比較回路４０から受信する信号に基づいて、スイッチング素子Ｑ１，Ｑ４又はスイッチング素子Ｑ２，Ｑ３にオン信号を送信する。
【００２９】
図２に基づいて説明すると、時刻ｔ１１では、電流閾値Ｉｒｅｆはゼロである。交流電流値Ｉｏｕｔが、時刻ｔ１１でこの電流閾値Ｉｒｅｆ（ゼロ）を上回ると、比較回路４０がこの大小関係に対応する信号を生成し、制御部３０に送信する。当該信号を受信した制御部３０は、スイッチング素子Ｑ１，Ｑ４のみにオン信号を送信する。これにより、スイッチング素子Ｑ１，Ｑ４がオフ状態からオン状態に切り替えられる。
【００３０】
時刻ｔ１１後、制御部３０は、電流閾値Ｉｒｅｆを漸次増加させる。比較回路４０は、この電流閾値Ｉｒｅｆの増加中も、交流電流値Ｉｏｕｔと電流閾値Ｉｒｅｆとの比較を行う。
【００３１】
時刻ｔ１２で、交流電流値Ｉｏｕｔが、Ｉ２１まで増加した電流閾値Ｉｒｅｆを下回ると、制御部３０は、スイッチング素子Ｑ１，Ｑ４へのオン信号の送信を停止する。しかしながら、前述した要因のため、制御部３０が当該オン信号の送信を停止したタイミングから、スイッチング素子Ｑ１，Ｑ４が実際にオフ状態になるまでに、遅れ時間が生じる。
【００３２】
時刻ｔ１２から時間ｔｄ１が経過した時刻ｔ１３で、スイッチング素子Ｑ１，Ｑ４がオン状態からオフ状態に切り替わる。すなわち、この時間ｔｄ１が、制御部３０がスイッチング素子Ｑ１，Ｑ４へのオン信号の送信を停止したタイミングから、スイッチング素子Ｑ１，Ｑ４が実際にオフ状態になるまでの遅れ時間に相当する。
【００３３】
また、時刻ｔ１３では、交流電流値Ｉｏｕｔが正の値から負の値に変化する。このように、交流電流値Ｉｏｕｔが正の値から負の値に変化すること、及び、交流電流値Ｉｏｕｔが負の値から正の値に変化することを、「ゼロクロス」と称する。時刻ｔ１３では、交流電流値Ｉｏｕｔが正の値から負の値に変化するゼロクロスが検出されたことに基づいて、制御部３０は、それまで漸次増加させていた電流閾値Ｉｒｅｆをゼロとする。
【００３４】
また、時刻ｔ１３で、交流電流値Ｉｏｕｔが正の値から負の値に変化し、且つ、電流閾値Ｉｒｅｆ（ゼロ）を下回ったことに基づいて、制御部３０は、スイッチング素子Ｑ２，Ｑ３のみにオン信号を送信する。これにより、スイッチング素子Ｑ２，Ｑ３がオフ状態からオン状態に切り替えられる。時刻ｔ１３で、スイッチング素子Ｑ１，Ｑ４のオン状態からオフ状態への切り替えと、スイッチング素子Ｑ２，Ｑ３のオフ状態からオン状態への切り替えが略同時に行われることから、交流電力の損失を抑制することができる。
【００３５】
時刻ｔ１３後、制御部３０は、電流閾値Ｉｒｅｆを漸次減少させる。比較回路４０は、この電流閾値Ｉｒｅｆの減少中も、交流電流値Ｉｏｕｔと電流閾値Ｉｒｅｆとの比較を行う。
【００３６】
時刻ｔ１４で、交流電流値Ｉｏｕｔが、−Ｉ２１まで減少した電流閾値Ｉｒｅｆを上回ると、制御部３０は、スイッチング素子Ｑ２，Ｑ３へのオン信号の送信を停止する。しかしながら、ここでも、制御部３０が当該オン信号の送信を停止したタイミングから、スイッチング素子Ｑ２，Ｑ３が実際にオフ状態になるまでに、遅れ時間が生じる。
【００３７】
時刻ｔ１４から時間ｔｄ１が経過した時刻ｔ１５で、スイッチング素子Ｑ２，Ｑ３がオン状態からオフ状態に切り替わる。すなわち、この時間ｔｄ１が、制御部３０がスイッチング素子Ｑ２，Ｑ３へのオン信号の送信を停止したタイミングから、スイッチング素子Ｑ２，Ｑ３が実際にオフ状態になるまでの遅れ時間に相当する。
【００３８】
また、時刻ｔ１５では、交流電流値Ｉｏｕｔが負の値から正の値に変化するゼロクロスが検出されたことに基づいて、制御部３０は、それまで漸次増加させていた電流閾値Ｉｒｅｆをゼロとする。
【００３９】
また、時刻ｔ１５で、交流電流値Ｉｏｕｔが負の値から正の値に変化し、且つ、電流閾値Ｉｒｅｆ（ゼロ）を上回ったことに基づいて、制御部３０は、スイッチング素子Ｑ１，Ｑ４のみにオン信号を送信する。これにより、スイッチング素子Ｑ１，Ｑ４がオフ状態からオン状態に切り替えられる。時刻ｔ１５で、スイッチング素子Ｑ２，Ｑ３のオン状態からオフ状態への切り替えと、スイッチング素子Ｑ１，Ｑ４のオフ状態からオン状態への切り替えが略同時に行われることから、交流電力の損失を抑制することができる。
【００４０】
時刻ｔ１５以降、制御部３０は、交流電源ＡＣの周波数に対応して、これまで説明した制御を繰り返す。すなわち、時刻ｔ１６，ｔ１７では、それぞれ交流電流値Ｉｏｕｔと電流閾値Ｉｒｅｆとの関係が等しい時刻ｔ１２，ｔ１３と同様の制御を行う。
【００４１】
続いて、図３を参照しながら、以上のような制御を行う制御部３０が、電流閾値Ｉｒｅｆを決定する際の処理について説明する。
【００４２】
まず、制御部３０は、ステップＳ１０１で、電流閾値Ｉｒｅｆの初期値としてゼロをセットする。
【００４３】
次に、制御部３０は、ステップＳ１０２で、交流電流値Ｉｏｕｔが正の値であるか否かを判定する。すなわち、制御部３０は、交流電源ＡＣから矢印Ｃ１（図１参照）で示される方向に電流が流れているか否かを判定する。交流電流値Ｉｏｕｔが正の値であると判定した場合（Ｓ１０２：ＹＥＳ）、制御部３０は、ステップＳ１０３の処理に進む。
【００４４】
次に、制御部３０は、ステップＳ１０３で、電流閾値Ｉｒｅｆを定数Ａだけ増加させる。ここで、定数Ａは正の値である。
【００４５】
次に、制御部３０は、ステップＳ１０４で、前述したゼロクロスが検出されたか否かを判定する。ここでのゼロクロスは、交流電流値Ｉｏｕｔが正の値から負の値に変化するものである。ゼロクロスが検出されていないと判定した場合（Ｓ１０４：ＮＯ）、制御部３０は、前述したステップＳ１０３の処理に戻る。すなわち、制御部３０は、ゼロクロスが検出されたと判定する（Ｓ１０４：ＹＥＳ）まで、電流閾値Ｉｒｅｆを定数Ａだけ増加させていく。
【００４６】
ゼロクロスが検出されたと判定した場合（Ｓ１０４：ＹＥＳ）、制御部３０は、前述したステップＳ１０１の処理に戻る。これにより、それまで増加していた電流閾値Ｉｒｅｆがゼロにリセットされる。
【００４７】
これに対し、ステップＳ１０２で、交流電流値Ｉｏｕｔが正の値ではないと判定した場合（Ｓ１０２：ＮＯ）、すなわち、交流電源ＡＣから矢印Ｃ２（図１参照）で示される方向に電流が流れていると判定した場合、制御部３０は、ステップＳ１０５の処理に進む。
【００４８】
次に、制御部３０は、ステップＳ１０５で、電流閾値Ｉｒｅｆを定数Ａだけ減少させる。前述したように、定数Ａは正の値である。
【００４９】
次に、制御部３０は、ステップＳ１０６で、前述したゼロクロスが検出されたか否かを判定する。ここでのゼロクロスは、交流電流値Ｉｏｕｔが負の値から正の値に変化するものである。ゼロクロスが検出されていないと判定した場合（Ｓ１０６：ＮＯ）、制御部３０は、前述したステップＳ１０５の処理に戻る。すなわち、制御部３０は、ゼロクロスが検出されたと判定する（Ｓ１０６：ＹＥＳ）まで、電流閾値Ｉｒｅｆを定数Ａだけ減少させていく。
【００５０】
ゼロクロスが検出されたと判定した場合（Ｓ１０６：ＹＥＳ）、制御部３０は、前述したステップＳ１０１の処理に戻る。これにより、それまで減少していた電流閾値Ｉｒｅｆがゼロにリセットされる。
【００５１】
続いて、図４を参照しながら、制御部３０が整流回路１０に送信する制御信号を決定する際の処理について説明する。
【００５２】
まず、制御部３０は、ステップＳ２０１で、交流電流値Ｉｏｕｔが正の値であるか否かを判定する。すなわち、制御部３０は、交流電源ＡＣから矢印Ｃ１（図１参照）で示される方向に電流が流れているか否かを判定する。交流電流値Ｉｏｕｔが正の値であると判定した場合（Ｓ２０１：ＹＥＳ）、制御部３０は、ステップＳ２０２の処理に進む。
【００５３】
次に、制御部３０は、ステップＳ２０２で、交流電流値Ｉｏｕｔが電流閾値Ｉｒｅｆよりも大きいか否かを判定する。制御部３０は、比較回路４０から受信する信号に基づいて当該判定を行う。交流電流値Ｉｏｕｔが電流閾値Ｉｒｅｆよりも大きいと判定した場合（Ｓ２０２：ＹＥＳ）、制御部３０は、ステップＳ２０３の処理に進む。
【００５４】
次に、制御部３０は、ステップＳ２０３で、スイッチング素子Ｑ１，Ｑ４をオン状態にするとともに、スイッチング素子Ｑ２，Ｑ３をオフ状態にすることを決定する。すなわち、制御部３０は、スイッチング素子Ｑ１，Ｑ４のみにオン信号を送信することを決定する。
【００５５】
一方、ステップＳ２０２で、交流電流値Ｉｏｕｔが電流閾値Ｉｒｅｆよりも大きくないと判定した場合（Ｓ２０２：ＮＯ）、制御部３０は、ステップＳ２０４の処理に進む。
【００５６】
次に、制御部３０は、ステップＳ２０４で、スイッチング素子Ｑ１，Ｑ４及びスイッチング素子Ｑ２，Ｑ３をオフ状態にすることを決定する。すなわち、制御部３０は、オン信号の送信を行わないことを決定する。
【００５７】
これに対し、ステップＳ２０１で、交流電流値Ｉｏｕｔが正の値ではないと判定した場合（Ｓ２０１：ＮＯ）、すなわち、交流電源ＡＣから矢印Ｃ２（図１参照）で示される方向に電流が流れていると判定した場合、制御部３０は、ステップＳ２０５の処理に進む。
【００５８】
次に、制御部３０は、ステップＳ２０５で、交流電流値Ｉｏｕｔが電流閾値Ｉｒｅｆよりも小さいか否かを判定する。制御部３０は、比較回路４０から受信する信号に基づいて当該判定を行う。交流電流値Ｉｏｕｔが電流閾値Ｉｒｅｆよりも小さいと判定した場合（Ｓ２０５：ＹＥＳ）、制御部３０は、ステップＳ２０６の処理に進む。
【００５９】
次に、制御部３０は、ステップＳ２０６で、スイッチング素子Ｑ１，Ｑ４をオフ状態にするとともに、スイッチング素子Ｑ２，Ｑ３をオン状態にすることを決定する。すなわち、制御部３０は、スイッチング素子Ｑ２，Ｑ３のみにオン信号を送信することを決定する。
【００６０】
一方、ステップＳ２０５で、交流電流値Ｉｏｕｔが電流閾値Ｉｒｅｆよりも小さくないと判定した場合（Ｓ２０５：ＮＯ）、制御部３０は、ステップＳ２０７の処理に進む。
【００６１】
次に、制御部３０は、ステップＳ２０７で、スイッチング素子Ｑ１，Ｑ４及びスイッチング素子Ｑ２，Ｑ３をオフ状態にすることを決定する。すなわち、制御部３０は、オン信号の送信を行わないことを決定する。
【００６２】
以上のように、電力変換装置１００では、制御部３０がオン信号を送信する際に用いる電流閾値Ｉｒｅｆ（ゼロ）の絶対値よりも、制御部がオン信号の送信を停止する際に用いる電流閾値Ｉｒｅｆ（Ｉ１２，−Ｉ１２）の絶対値が大きい。
【００６３】
したがって、電力変換装置１００によれば、電流検出部２０による交流電流の検出や、当該検出に基づくオン信号の送信停止に遅れ時間ｔｄ１が生じる場合であっても、それを考慮して早めのタイミングでオン信号の送信を停止することが可能となる。この結果、電力変換装置１００によれば、整流回路１０のスイッチング素子Ｑ１，Ｑ２，Ｑ３，Ｑ４を適切なタイミングでオフ状態にして、交流電力から直流電力への変換効率を向上させることが可能となる。
【００６４】
また、電力変換装置１００では、制御部３０は、電流閾値Ｉｒｅｆをゼロから時間とともにＩ１２，−Ｉ１２に漸次変化させ、交流電流値Ｉｏｕｔがゼロとなるタイミングにおいて、電流閾値Ｉｒｅｆをゼロとする。
【００６５】
このように電流閾値Ｉｒｅｆを変化させることで、制御部３０がオン信号を送信する際に用いる電流閾値Ｉｒｅｆ（ゼロ）の絶対値よりも、制御部３０がオン信号の送信を停止する際に用いる電流閾値Ｉｒｅｆ（Ｉ１２，−Ｉ１２）の絶対値を大きくすることができる。また、交流電流値Ｉｏｕｔがゼロとなるタイミングにおいて、電流閾値Ｉｒｅｆをゼロとすることで、交流電源ＡＣから供給される交流電力の周波数に応じて、電流閾値Ｉｒｅｆを周期的に変化させることが可能となる。
【００６６】
また、本第１実施形態では、電流閾値Ｉｒｅｆをゼロとするタイミングを、交流電流値Ｉｏｕｔがゼロとなるタイミングとしているが、これに代えて、オン信号の送信の停止から予め定められた所定時間（第１所定時間）後のタイミングとしてもよい。この場合も、同様の効果を得ることができる。
【００６７】
続いて図５乃至図７を参照しながら、本発明の第２実施形態に係る電力変換装置１００Ａ（図１参照）について説明する。この電力変換装置１００Ａは、その制御部３０Ａによる制御が、前述した第１実施形態に係る制御部３０のものと異なっている。第１実施形態と同一の構成については同一の符号を用いて、重複する説明は適宜省略する。
【００６８】
まず、図５を参照しながら、制御部３０Ａによる制御の例について説明する。図５に示されるように、制御部３０Ａは、時間とともに変化する電流閾値Ｉｒｅｆ１，Ｉｒｅｆ２を有している。また、制御部３０Ａは、この電流閾値Ｉｒｅｆ１，Ｉｒｅｆ２を比較回路４０に出力する。
【００６９】
比較回路４０では、電流検出部２０が検出した交流電流値Ｉｏｕｔと、電流閾値Ｉｒｅｆ１，Ｉｒｅｆ２とを比較するとともに、その比較結果に基づく信号を生成して制御部３０Ａに送信する。制御部３０Ａは、比較回路４０から受信する信号に基づいて、スイッチング素子Ｑ１，Ｑ４又はスイッチング素子Ｑ２，Ｑ３にオン信号を送信する。
【００７０】
図５に基づいて説明すると、時刻ｔ２１では、電流閾値Ｉｒｅｆ１はＩ１２であり、電流閾値Ｉｒｅｆ２は−Ｉ１２である。交流電流値Ｉｏｕｔが、時刻ｔ２１で電流閾値Ｉｒｅｆ１（Ｉ１２）を上回ると、比較回路４０がこの大小関係に対応する信号を生成し、制御部３０Ａに送信する。当該信号を受信した制御部３０Ａは、スイッチング素子Ｑ１，Ｑ４のみにオン信号を送信する。これにより、スイッチング素子Ｑ１，Ｑ４がオフ状態からオン状態に切り替えられる。
【００７１】
時刻ｔ２１後、制御部３０Ａは、電流閾値Ｉｒｅｆ１をＩ１２のまま維持するとともに、電流閾値Ｉｒｅｆ２を−Ｉ１２のまま維持する。そして、時刻ｔ２１から時間ｔ０経過後に、制御部３０Ａは、電流閾値Ｉｒｅｆ１をＩ１２よりも大きいＩ２２に変更するとともに、電流閾値Ｉｒｅｆ２を−Ｉ１２よりも小さい（絶対値は大きい）−Ｉ２２に変更する。比較回路４０は、この電流閾値Ｉｒｅｆ１，Ｉｒｅｆ２の変更の前後に亘って、交流電流値Ｉｏｕｔと電流閾値Ｉｒｅｆ１，Ｉｒｅｆ２との比較を行う。
【００７２】
時刻ｔ２２で、交流電流値Ｉｏｕｔが、電流閾値Ｉｒｅｆ１（Ｉ２２）を下回ると、制御部３０Ａは、スイッチング素子Ｑ１，Ｑ４へのオン信号の送信を停止する。しかしながら、前述した要因のため、制御部３０Ａが当該オン信号の送信を停止したタイミングから、スイッチング素子Ｑ１，Ｑ４が実際にオフ状態になるまでに、遅れ時間が生じる。
【００７３】
時刻ｔ２２から時間ｔｄ２が経過した時刻ｔ２３で、スイッチング素子Ｑ１，Ｑ４がオン状態からオフ状態に切り替わる。すなわち、この時間ｔｄ２が、制御部３０Ａがスイッチング素子Ｑ１，Ｑ４へのオン信号の送信を停止したタイミングから、スイッチング素子Ｑ１，Ｑ４が実際にオフ状態になるまでの遅れ時間に相当する。時刻ｔ２３では、交流電流値Ｉｏｕｔが正の値から負の値に変化するゼロクロスが検出される。
【００７４】
また、時刻ｔ２２後、制御部３０Ａは、電流閾値Ｉｒｅｆ１をＩ２２のまま維持するとともに、電流閾値Ｉｒｅｆ２を−Ｉ２２のまま維持する。そして、時刻ｔ２２から時間ｔ０経過後に、制御部３０Ａは、電流閾値Ｉｒｅｆ１をＩ２２よりも小さいＩ１２に変更するとともに、電流閾値Ｉｒｅｆ２を−Ｉ２２よりも大きい（絶対値は小さい）−Ｉ１２に変更する。
【００７５】
また、時刻ｔ２４で、交流電流値Ｉｏｕｔが負の値となり、且つ、電流閾値Ｉｒｅｆ２（−Ｉ１２）を下回ったことに基づいて、制御部３０Ａは、スイッチング素子Ｑ２，Ｑ３のみにオン信号を送信する。これにより、スイッチング素子Ｑ２，Ｑ３がオフ状態からオン状態に切り替えられる。時刻ｔ２３におけるスイッチング素子Ｑ１，Ｑ４のオン状態からオフ状態への切り替えから、時刻ｔ２４におけるスイッチング素子Ｑ２，Ｑ３のオフ状態からオン状態への切り替えまでが短時間になることから、交流電力の損失を抑制することができる。
【００７６】
時刻ｔ２４後、制御部３０Ａは、電流閾値Ｉｒｅｆ１をＩ１２のまま維持するとともに、電流閾値Ｉｒｅｆ２を−Ｉ１２のまま維持する。そして、時刻ｔ２４から時間ｔ０経過後に、制御部３０Ａは、電流閾値Ｉｒｅｆ１をＩ１２よりも大きいＩ２２に変更するとともに、電流閾値Ｉｒｅｆ２を−Ｉ１２よりも小さい（絶対値は大きい）−Ｉ２２に変更する。比較回路４０は、この電流閾値Ｉｒｅｆ１，Ｉｒｅｆ２の変更の前後に亘って、交流電流値Ｉｏｕｔと電流閾値Ｉｒｅｆ１，Ｉｒｅｆ２との比較を行う。
【００７７】
時刻ｔ２５で、交流電流値Ｉｏｕｔが、電流閾値Ｉｒｅｆ２（−Ｉ２２）を上回ると、制御部３０Ａは、スイッチング素子Ｑ２，Ｑ３へのオン信号の送信を停止する。しかしながら、ここでも、制御部３０Ａが当該オン信号の送信を停止したタイミングから、スイッチング素子Ｑ２，Ｑ３が実際にオフ状態になるまでには遅れ時間が生じる。
【００７８】
時刻ｔ２５後、制御部３０Ａは、電流閾値Ｉｒｅｆ１をＩ２２のまま維持するとともに、電流閾値Ｉｒｅｆ２を−Ｉ２２のまま維持する。そして、時刻ｔ２５から所定時間ｔ０経過後、制御部３０Ａは、電流閾値Ｉｒｅｆ１をＩ２２よりも小さいＩ１２に変更するとともに、電流閾値Ｉｒｅｆ２を−Ｉ２２よりも大きい（絶対値は小さい）−Ｉ１２に変更する。比較回路４０は、この電流閾値Ｉｒｅｆ１，Ｉｒｅｆ２の変更の前後に亘って、交流電流値Ｉｏｕｔと電流閾値Ｉｒｅｆ１，Ｉｒｅｆ２との比較を行う。
【００７９】
時刻ｔ２５から時間ｔｄ２が経過した時刻ｔ２６で、スイッチング素子Ｑ２，Ｑ３がオン状態からオフ状態に切り替わる。すなわち、この時間ｔｄ２が、制御部３０Ａがスイッチング素子Ｑ２，Ｑ３へのオン信号の送信を停止したタイミングから、スイッチング素子Ｑ２，Ｑ３が実際にオフ状態になるまでの遅れ時間に相当する。時刻ｔ２６では、交流電流値Ｉｏｕｔが負の値から正の値に変化するゼロクロスが検出される。
【００８０】
また、時刻ｔ２７で、交流電流値Ｉｏｕｔが正の値となり、且つ、電流閾値Ｉｒｅｆ１（Ｉ１２）を上回ったことに基づいて、制御部３０Ａは、スイッチング素子Ｑ１，Ｑ４のみにオン信号を送信する。これにより、スイッチング素子Ｑ１，Ｑ４がオフ状態からオン状態に切り替えられる。時刻ｔ２５で、スイッチング素子Ｑ２，Ｑ３のオン状態からオフ状態への切り替えと、スイッチング素子Ｑ１，Ｑ４のオフ状態からオン状態への切り替えが略同時に行われることから、交流電力の損失を抑制することができる。
【００８１】
時刻ｔ２７以降、制御部３０Ａは、交流電源ＡＣの周波数に対応して、これまで説明した制御を繰り返す。すなわち、時刻ｔ２８，ｔ２９，ｔ３０では、それぞれ交流電流値Ｉｏｕｔと電流閾値Ｉｒｅｆ１，Ｉｒｅｆ２との関係が等しい時刻ｔ２２，ｔ２３，ｔ２４と同様の制御を行う。
【００８２】
続いて、図６を参照しながら、以上のような制御を行う制御部３０Ａが、電流閾値Ｉｒｅｆ１，Ｉｒｅｆ２を決定する際の処理について説明する。
【００８３】
まず、制御部３０Ａは、ステップＳ３０１で、電流閾値Ｉｒｅｆ１の初期値としてＩ１２をセットし、電流閾値Ｉｒｅｆ２の初期値として−Ｉ１２をセットする。
【００８４】
次に、制御部３０Ａは、ステップＳ３０２で、交流電流値Ｉｏｕｔが正の値であるか否かを判定する。すなわち、制御部３０Ａは、交流電源ＡＣから矢印Ｃ１（図１参照）で示される方向に電流が流れているか否かを判定する。交流電流値Ｉｏｕｔが正の値であると判定した場合（Ｓ３０２：ＹＥＳ）、制御部３０Ａは、ステップＳ３０３の処理に進む。
【００８５】
次に、制御部３０Ａは、ステップＳ３０３で、交流電流値Ｉｏｕｔが電流閾値Ｉｒｅｆ１（Ｉ１２）よりも大きいか否かを判定する。交流電流値Ｉｏｕｔが電流閾値Ｉｒｅｆ１（Ｉ１２）よりも大きくないと判定した場合（Ｓ３０３：ＮＯ）、制御部３０Ａは待機する。そして、交流電流値Ｉｏｕｔが、電流閾値Ｉｒｅｆ１（Ｉ１２）よりも大きいと判定した場合（Ｓ３０３：ＹＥＳ）、制御部３０Ａは、ステップＳ３０４の処理に進む。
【００８６】
一方、ステップＳ３０２で、交流電流値Ｉｏｕｔが正の値ではないと判定した場合（Ｓ３０２：ＮＯ）、制御部３０Ａは、ステップＳ３０８の処理に進む。
【００８７】
次に、制御部３０Ａは、ステップＳ３０８で、交流電流値Ｉｏｕｔが、電流閾値Ｉｒｅｆ２（−Ｉ１２）よりも小さい（絶対値は大きい）か否かを判定する。交流電流値Ｉｏｕｔが、電流閾値Ｉｒｅｆ２（−Ｉ１２）よりも小さくないと判定した場合（Ｓ３０８：ＮＯ）、制御部３０Ａは待機する。そして、交流電流値Ｉｏｕｔが、電流閾値Ｉｒｅｆ２（−Ｉ１２）よりも小さいと判定した場合（Ｓ３０８：ＹＥＳ）、制御部３０Ａは、ステップＳ３０４の処理に進む。
【００８８】
次に、制御部３０Ａは、ステップＳ３０４で、時間ｔに定数ｅを加算する。この定数ｅは、正の値である。
【００８９】
次に、制御部３０Ａは、ステップＳ３０５で、時間ｔが時間ｔ０よりも大きいか否かを判定する。この時間ｔ０は、予め定められた定数であり、図５を参照しながら説明した時間ｔ０と同一のものである。時間ｔが時間ｔ０よりも大きくないと判定した場合（Ｓ３０５：ＮＯ）、制御部３０Ａは、ステップＳ３０４の処理に戻る。すなわち、制御部３０Ａは、時間ｔが時間ｔ０よりも大きいと判定する（Ｓ３０５：ＹＥＳ）まで、時間ｔを定数ｅだけ増加させていく。時間ｔが時間ｔ０よりも大きい判定する（Ｓ３０５：ＹＥＳ）と、制御部３０Ａは、ステップＳ３０６の処理に進む。
【００９０】
次に、制御部３０Ａは、ステップＳ３０６で、電流閾値Ｉｒｅｆ１をＩ２２に変更し、電流閾値Ｉｒｅｆ２を−Ｉ２２に変更する。
【００９１】
次に、制御部３０Ａは、ステップＳ３０７で、前述したゼロクロスが検出されたか否かを判定する。ゼロクロスが検出されていないと判定した場合（Ｓ３０７：ＮＯ）、制御部３０Ａは待機する。
【００９２】
ステップＳ３０７で、ゼロクロスが検出されたと判定した場合（Ｓ３０７：ＹＥＳ）、制御部３０Ａは、前述したステップＳ３０１の処理に戻る。これにより、再び電流閾値Ｉｒｅｆ１にＩ１２がセットされ、電流閾値Ｉｒｅｆ２に−Ｉ１２がセットされる。
【００９３】
続いて、図７を参照しながら、制御部３０Ａが整流回路１０に送信する制御信号を決定する際の処理について説明する。
【００９４】
まず、制御部３０Ａは、ステップＳ４０１で、交流電流値Ｉｏｕｔが電流閾値Ｉｒｅｆ１よりも大きいか否かを判定する。交流電流値Ｉｏｕｔが電流閾値Ｉｒｅｆ１よりも大きくないと判定した場合（Ｓ４０１：ＮＯ）、制御部３０Ａは、ステップＳ４０２の処理に進む。
【００９５】
次に、制御部３０Ａは、ステップＳ４０２で、交流電流値Ｉｏｕｔが、電流閾値Ｉｒｅｆ２よりも大きく、且つ、電流閾値Ｉｒｅｆ１よりも小さいか否かを判定する。交流電流値Ｉｏｕｔが、電流閾値Ｉｒｅｆ２よりも大きく、且つ、電流閾値Ｉｒｅｆ１よりも小さいと判定した場合（Ｓ４０２：ＹＥＳ）、制御部３０Ａは、ステップＳ４０３の処理に進む。
【００９６】
次に、制御部３０Ａは、ステップＳ４０３で、スイッチング素子Ｑ１，Ｑ４及びスイッチング素子Ｑ２，Ｑ３をオフ状態にすることを決定する。すなわち、制御部３０Ａは、オン信号の送信を行わないことを決定する。
【００９７】
一方、ステップＳ４０２で、交流電流値Ｉｏｕｔが、電流閾値Ｉｒｅｆ２よりも大きく、且つ、電流閾値Ｉｒｅｆ１よりも小さい値ではないと判定した場合（Ｓ４０２：ＮＯ）、制御部３０Ａは、ステップＳ４０４の処理に進む。
【００９８】
次に、制御部３０Ａは、ステップＳ４０４で、スイッチング素子Ｑ１，Ｑ４をオフ状態にするとともに、スイッチング素子Ｑ２，Ｑ３をオン状態にすることを決定する。すなわち、制御部３０Ａは、スイッチング素子Ｑ２，Ｑ３のみにオン信号を送信することを決定する。
【００９９】
これに対し、ステップＳ４０１で、交流電流値Ｉｏｕｔが電流閾値Ｉｒｅｆ１よりも大きいと判定した場合（Ｓ４０１：ＹＥＳ）、制御部３０Ａは、ステップＳ４０５の処理に進む。
【０１００】
次に、制御部３０Ａは、ステップＳ４０５で、スイッチング素子Ｑ１，Ｑ４をオン状態にするとともに、スイッチング素子Ｑ２，Ｑ３をオフ状態にすることを決定する。すなわち、制御部３０Ａは、スイッチング素子Ｑ１，Ｑ４のみにオン信号を送信することを決定する。
【０１０１】
以上のように、電力変換装置１００Ａでは、制御部３０Ａは、交流電流値Ｉｏｕｔの絶対値が電流閾値Ｉｒｅｆ１（Ｉ１２），Ｉｒｅｆ２（−Ｉ１２）の絶対値を上回ったタイミングから予め定められた時間ｔ０（第２所定時間）経過後に、電流閾値Ｉｒｅｆ１，Ｉｒｅｆ２をＩ１２，−Ｉ１２からＩ２２，−Ｉ２２に変更する。また、制御部３０Ａは、電流検出部２０が検出する交流電流値Ｉｏｕｔの絶対値が電流閾値Ｉｒｅｆ１（Ｉ２２），Ｉｒｅｆ２（−Ｉ２２）の絶対値を下回ったタイミングから予め定められた時間ｔ０（第３所定時間）経過後に、電流閾値Ｉｒｅｆ１，Ｉｒｅｆ２をＩ２２，−Ｉ２２からＩ１２，−Ｉ１２に変更する。
【０１０２】
このように電流閾値Ｉｒｅｆ１，Ｉｒｅｆ２を変化させることで、制御部３０Ａがオン信号を送信する際に用いる電流閾値Ｉｒｅｆ１（Ｉ１２），Ｉｒｅｆ２（−Ｉ１２）の絶対値よりも、制御部３０Ａがオン信号の送信を停止する際に用いる電流閾値Ｉｒｅｆ１（Ｉ２２），Ｉｒｅｆ２（−Ｉ２２）の絶対値を大きくすることができる。また、交流電源ＡＣから供給される交流電力の周波数に応じて、電流閾値Ｉｒｅｆ１，Ｉｒｅｆ２を周期的に変化させることが可能となる。
【０１０３】
尚、本第２実施形態では、前述した第２所定時間及び第３所定時間をいずれも同一の時間ｔ０としているが、本発明はこれに限られるものではない。すなわち、第２所定時間と第３所定時間とが互いに異なるものであってもよい。
【０１０４】
続いて図８及び図９を参照しながら、本発明の第３実施形態に係る電力変換装置１００Ｂ（図１参照）について説明する。この電力変換装置１００Ｂは、その制御部３０Ｂによる制御が、前述した実施形態に係る制御部３０，３０Ａのものと異なっている。前述した実施形態と同一の構成については同一の符号を用いて、重複する説明は適宜省略する。
【０１０５】
まず、図８を参照しながら、制御部３０Ｂによる制御の例について説明する。図８に示されるように、制御部３０Ｂは、時間によらず一定な電流閾値−Ｉ２３，−Ｉ１３，Ｉ１３，Ｉ２３を有している。また、制御部３０Ｂは、この電流閾値−Ｉ２３，−Ｉ１３，Ｉ１３，Ｉ２３を比較回路４０に出力する。比較回路４０では、電流検出部２０が検出した交流電流値Ｉｏｕｔと、電流閾値−Ｉ２３，−Ｉ１３，Ｉ１３，Ｉ２３とを比較するとともに、その比較結果に基づく信号を生成して制御部３０Ｂに送信する。制御部３０Ｂは、比較回路４０から受信する信号に基づいて、スイッチング素子Ｑ１，Ｑ４又はスイッチング素子Ｑ２，Ｑ３にオン信号を送信する。
【０１０６】
図８に基づいて説明すると、時刻ｔ３１で、交流電流値Ｉｏｕｔが電流閾値Ｉ１３を上回ると、比較回路４０がこの大小関係に対応する信号を生成し、制御部３０Ｂに送信する。当該信号を受信した制御部３０Ｂは、スイッチング素子Ｑ１，Ｑ４のみにオン信号を送信する。これにより、スイッチング素子Ｑ１，Ｑ４がオフ状態からオン状態に切り替えられる。
【０１０７】
時刻ｔ３２で、交流電流値Ｉｏｕｔが電流閾値Ｉ２３を下回ると、制御部３０Ｂは、スイッチング素子Ｑ１，Ｑ４へのオン信号の送信を停止する。しかしながら、前述した要因のため、制御部３０Ｂが当該オン信号の送信を停止したタイミングから、スイッチング素子Ｑ１，Ｑ４が実際にオフ状態になるまでに、遅れ時間が生じる。
【０１０８】
時刻ｔ３２から時間ｔｄ３が経過した時刻ｔ３３で、スイッチング素子Ｑ１，Ｑ４がオン状態からオフ状態に切り替わる。すなわち、この時間ｔｄ３が、制御部３０Ｂがスイッチング素子Ｑ１，Ｑ４へのオン信号の送信を停止したタイミングから、スイッチング素子Ｑ１，Ｑ４が実際にオフ状態になるまでの遅れ時間に相当する。時刻ｔ３３では、交流電流値Ｉｏｕｔが正の値から負の値に変化するゼロクロスが検出される。
【０１０９】
また、時刻ｔ３４で、交流電流値Ｉｏｕｔが負の値となり、且つ、電流閾値−Ｉ１３を下回った（絶対値は上回った）ことに基づいて、制御部３０Ｂは、スイッチング素子Ｑ２，Ｑ３のみにオン信号を送信する。これにより、スイッチング素子Ｑ２，Ｑ３がオフ状態からオン状態に切り替えられる。時刻ｔ３３におけるスイッチング素子Ｑ１，Ｑ４のオン状態からオフ状態への切り替えから、時刻ｔ３４におけるスイッチング素子Ｑ２，Ｑ３のオフ状態からオン状態への切り替えまでが短時間になることから、交流電力の損失を抑制することができる。
【０１１０】
時刻ｔ３５で、交流電流値Ｉｏｕｔが、電流閾値−Ｉ２３を上回る（絶対値は下回る）と、制御部３０Ｂは、スイッチング素子Ｑ２，Ｑ３へのオン信号の送信を停止する。しかしながら、ここでも、当該オン信号の送信停止から、スイッチング素子Ｑ２，Ｑ３が実際にオフ状態になるまでには遅れ時間が生じる。
【０１１１】
時刻ｔ３５から時間ｔｄ３が経過した時刻ｔ３６で、スイッチング素子Ｑ２，Ｑ３がオン状態からオフ状態に切り替わる。すなわち、この時間ｔｄ３が、制御部３０Ａがスイッチング素子Ｑ２，Ｑ３へのオン信号の送信を停止したタイミングから、スイッチング素子Ｑ２，Ｑ３が実際にオフ状態になるまでの遅れ時間に相当する。時刻ｔ３６では、交流電流値Ｉｏｕｔが負の値から正の値に変化するゼロクロスが検出される。
【０１１２】
時刻ｔ３６以降、制御部３０は、交流電源ＡＣの周波数に対応して、これまで説明した制御を繰り返す。すなわち、時刻ｔ３７，ｔ３８，ｔ３９，ｔ４０では、それぞれ交流電流値Ｉｏｕｔと電流閾値Ｉ２３，−Ｉ１３との関係が等しい時刻ｔ３１，ｔ３２，ｔ３３，ｔ３４と同様の制御を行う。
【０１１３】
続いて、図９を参照しながら、制御部３０Ｂが整流回路１０に送信する制御信号を決定する際の処理について説明する。
【０１１４】
まず、制御部３０は、ステップＳ５０１で、交流電流値Ｉｏｕｔが電流閾値−Ｉ１３よりも大きく、且つ、電流閾値Ｉ１３よりも小さいか否かを判定する。交流電流値Ｉｏｕｔが電流閾値−Ｉ１３よりも大きく、且つ、電流閾値Ｉ１３よりも小さい値ではないと判定した場合（Ｓ５０１：ＮＯ）、制御部３０は、ステップＳ５０２の処理に進む。
【０１１５】
次に、制御部３０Ｂは、ステップＳ５０２で、交流電流値Ｉｏｕｔが電流閾値Ｉ１３よりも大きいか否かを判定する。交流電流値Ｉｏｕｔが電流閾値Ｉ１３よりも大きいと判定した場合（Ｓ５０２：ＹＥＳ）、制御部３０Ｂは、ステップＳ５０３の処理に進む。
【０１１６】
次に、制御部３０Ｂは、ステップＳ５０３で、交流電流値Ｉｏｕｔが電流閾値Ｉ２３よりも大きい状態から小さい状態へと変化したか（交流電流値Ｉｏｕｔが電流閾値Ｉ２３を下回ったか）否かを判定する。交流電流値Ｉｏｕｔがこのように変化したと判定した場合（Ｓ５０３：ＹＥＳ）、制御部３０Ｂは、ステップＳ５０４の処理に進む。
【０１１７】
次に、制御部３０Ｂは、ステップＳ５０４で、スイッチング素子Ｑ１，Ｑ４及びスイッチング素子Ｑ２，Ｑ３をオフ状態にすることを決定する。すなわち、制御部３０Ｂは、オン信号の送信を行わないことを決定する。
【０１１８】
一方、ステップＳ５０３で、交流電流値Ｉｏｕｔが電流閾値Ｉ２３よりも大きい状態から小さい状態へと変化していないと判定した場合（Ｓ５０３：ＮＯ）、制御部３０Ｂは、ステップＳ５０５の処理に進む。
【０１１９】
次に、制御部３０Ｂは、ステップＳ５０５で、スイッチング素子Ｑ１，Ｑ４をオン状態にするとともに、スイッチング素子Ｑ２，Ｑ３をオフ状態にすることを決定する。すなわち、制御部３０Ｂは、スイッチング素子Ｑ１，Ｑ４のみにオン信号を送信することを決定する。
【０１２０】
これに対し、ステップＳ５０２で、交流電流値Ｉｏｕｔが電流閾値Ｉ１３よりも大きくないと判定した場合（Ｓ５０２：ＮＯ）、制御部３０Ｂは、ステップＳ５０６の処理に進む。
【０１２１】
次に、制御部３０Ｂは、ステップＳ５０６で、交流電流値Ｉｏｕｔが電流閾値−Ｉ１３よりも小さいか否かを判定する。交流電流値Ｉｏｕｔが電流閾値−Ｉ１３よりも小さいと判定した場合（Ｓ５０６：ＹＥＳ）、制御部３０Ｂは、ステップＳ５０７の処理に進む。
【０１２２】
次に、制御部３０Ｂは、ステップＳ５０７で、交流電流値Ｉｏｕｔが電流閾値−Ｉ２３よりも小さい状態から大きい状態へと変化したか（交流電流値Ｉｏｕｔが電流閾値−Ｉ２３を上回ったか）否かを判定する。交流電流値Ｉｏｕｔがこのように変化したと判定した場合（Ｓ５０７：ＹＥＳ）、制御部３０Ｂは、ステップＳ５０８の処理に進む。
【０１２３】
次に、制御部３０Ｂは、ステップＳ５０８で、スイッチング素子Ｑ１，Ｑ４及びスイッチング素子Ｑ２，Ｑ３をオフ状態にすることを決定する。すなわち、制御部３０Ｂは、オン信号の送信を行わないことを決定する。
【０１２４】
一方、ステップＳ５０７で、交流電流値Ｉｏｕｔが電流閾値−Ｉ２３よりも小さい状態から大きい状態へと変化していないと判定した場合（Ｓ５０６：ＮＯ）、制御部３０Ｂは、ステップＳ５０９の処理に進む。
【０１２５】
次に、制御部３０Ｂは、ステップＳ５０９で、スイッチング素子Ｑ１，Ｑ４をオフ状態にするとともに、スイッチング素子Ｑ２，Ｑ３をオン状態にすることを決定する。すなわち、制御部３０Ｂは、スイッチング素子Ｑ２，Ｑ３のみにオン信号を送信することを決定する。
【０１２６】
また、ステップＳ５０１で、交流電流値Ｉｏｕｔが電流閾値−Ｉ１３よりも大きく、且つ、電流閾値Ｉ１３よりも小さい値であると判定した場合（Ｓ５０１：ＹＥＳ）、制御部３０Ｂは、ステップＳ５１０の処理に進む。さらに、ステップＳ５０６で、交流電流値Ｉｏｕｔが電流閾値−Ｉ１３よりも小さくないと判定した場合（Ｓ５０６：ＮＯ）も、制御部３０Ｂは、ステップＳ５１０の処理に進む。
【０１２７】
次に、制御部３０Ｂは、ステップＳ５１０で、スイッチング素子Ｑ１，Ｑ４及びスイッチング素子Ｑ２，Ｑ３をオフ状態にすることを決定する。すなわち、制御部３０Ｂは、オン信号の送信を行わないことを決定する。
【０１２８】
以上のように、電力変換装置１００Ｂでは、制御部３０Ｂがオン信号を送信する際に用いる電流閾値Ｉ１３，−Ｉ１３の絶対値よりも、制御部３０Ｂがオン信号の送信を停止する際に用いる電流閾値Ｉ２３，−Ｉ２３の絶対値の方が大きい。したがって、電力変換装置１００Ｂによれば、電流検出部２０による交流電流の検出や、当該検出に基づくオン信号の送信停止に遅れ時間ｔｄ３が生じる場合であっても、それを考慮して早めのタイミングでオン信号の送信を停止することが可能となる。この結果、整流回路のスイッチング素子を適切なタイミングでオフ状態にして、交流電力から直流電力への変換効率を向上させることが可能となる。
【０１２９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【符号の説明】
【０１３０】
１０：整流回路
２０：電流検出部
３０，３０Ａ，３０Ｂ：制御部
１００，１００Ａ，１００Ｂ：電力変換装置
Ｑ１，Ｑ２，Ｑ３，Ｑ４：スイッチング素子
【図１】
2016226209.tif 000003
【図２】
2016226209.tif 000004
【図３】
2016226209.tif 000005
【図４】
2016226209.tif 000006
【図５】
2016226209.tif 000007
【図６】
2016226209.tif 000008
【図７】
2016226209.tif 000009
【図８】
2016226209.tif 000010
【図９】
2016226209.tif 000011